(57)【要約】【課題】シート状部材が他の部材に巻き込まれることなく巻取り軸に短時間で巻き取られ、収容袋の排出口から現像剤がスムーズに排出されて内部に充分に供給される。【解決手段】内部に収容されたトナーＴ（現像剤）を排出するための排出口５４ａが形成された収容袋５４と、その一端側が収容袋５４に保持されて排出口５４ａを封止するシート状部材５５と、シート状部材５５の他端側が保持された巻取り軸５６と、が設けられている。そして、巻取り軸５６が所定方向に回転されることにより、シート状部材５５が巻取り軸５６に巻き取られて排出口５４ａが開放されて、その後にシート状部材５５が巻取り方向中央部の切断部５５ｃで切断されて収容袋５４の側と巻取り軸５６の側とに分割される。【選択図】図４
2020177159.tif 000002
【特許請求の範囲】
【請求項１】
内部に収容された現像剤を排出するための排出口が形成された収容袋と、
その一端側が前記収容袋に保持されて、前記排出口を封止するシート状部材と、
前記シート状部材の他端側が保持された巻取り軸と、
を備え、
前記巻取り軸が所定方向に回転されることにより、前記シート状部材が前記巻取り軸に巻き取られて前記排出口が開放されて、その後に前記シート状部材が巻取り方向中央部の切断部で切断されて前記収容袋の側と前記巻取り軸の側とに分割されることを特徴とする現像剤収容容器。
【請求項２】
前記シート状部材は、１つの材料で形成されて、
前記切断部は、ミシン目が形成された部分であることを特徴とする請求項１に記載の現像剤収容容器。
【請求項３】
前記シート状部材は、前記切断部を境にして前記収容袋の側の材料と前記巻取り軸の側との材料とが異なり、それぞれが前記切断部で接着されたものであることを特徴とする請求項１に記載の現像剤収容容器。
【請求項４】
前記巻取り軸が前記所定方向に回転されることにより、前記切断部で切断され分割された前記巻取り軸の側のシート状部材が前記巻取り軸にすべて巻き取られることを特徴とする請求項１〜請求項３のいずれかに記載の現像剤収容容器。
【請求項５】
前記巻取り軸が前記所定方向に回転されることにより、前記切断部で切断され分割された前記巻取り軸の側のシート状部材の一部のみが前記巻取り軸に巻き取られて、前記巻取り軸に巻き取られなかった部分が前記巻取り軸とともに回転して容器内の現像剤を撹拌することを特徴とする請求項１〜請求項３のいずれかに記載の現像剤収容容器。
【請求項６】
請求項１〜請求項５のいずれかに記載の現像剤収容容器が一体化されたことを特徴とする現像装置。
【請求項７】
像担持体に対向又は当接する現像ローラと、
前記排出口の下方に配置されて、前記現像ローラに現像剤を供給する供給ローラと、
を備えたことを特徴とする請求項６に記載の現像装置。
【請求項８】
画像形成装置本体に対して着脱可能に設置されるプロセスカートリッジであって、
請求項６又は請求項７に記載の現像装置を備えたことを特徴とするプロセスカートリッジ。
【請求項９】
請求項６又は請求項７に記載の現像装置を備えたことを特徴とする画像形成装置。
【発明の詳細な説明】
【技術分野】
【０００１】
この発明は、内部にトナーなどの現像剤が収容された現像剤収容容器と、それが一体化された現像装置と、それを備えたプロセスカートリッジ及び画像形成装置と、に関するものである。
【背景技術】
【０００２】
従来から、複写機、プリンタ等の画像形成装置に設置される現像装置において、トナーを収容した収容袋を、装置の内部に設置する技術が知られている（例えば、特許文献１参照。）。
【０００３】
詳しくは、特許文献１において、現像装置（現像剤収納ユニット）には、現像ローラ、供給ローラ、ドクターブレード（現像ブレード）、収容袋（現像剤袋）、シート状部材（封止部材）、巻取り軸（開封部材）、遮蔽部材、などが設置されている。
そして、現像装置の使用が開始されるときに、内部にトナー（現像剤）が収容された収容袋の排出口を封止するシート状部材が、巻取り軸によって巻き取られて、収容袋の排出口から装置内にトナーが供給されることになる。
そして、使用可能な状態の現像装置において、供給ローラによって現像ローラにトナーが供給されると、現像ローラ上に担持されたトナーがドクターブレードによって適量に薄層化される。さらに、感光体ドラム（像担持体）との対向領域（現像領域）で、現像ローラ上において薄層化されたトナーの一部が感光体ドラム上の潜像に供給されて、感光体ドラム上にトナー像が形成されることになる。
【０００４】
一方、特許文献１には、排出口の下方に配置された供給ローラに、巻取り軸によって巻き取られるシート状部材が巻き込まれる不具合を防止するために、排出口と供給ローラとの間に遮蔽部材を設置する技術が開示されている。
【発明の概要】
【発明が解決しようとする課題】
【０００５】
特許文献１の技術は、排出口と供給ローラとの間にシート状部材の巻き込みを防止するための遮蔽部材を設置しているため、排出口から排出された現像剤（トナー）が供給ローラに供給されにくくなってしまっていた。すなわち、現像装置（現像剤収容容器）の内部に現像剤が充分に供給されない不具合が生じていた。そのため、画像濃度低下などの異常画像が生じてしまっていた。
また、巻取り軸によって巻き取るシート状部材が長いために、そのシート状部材によって排出口からの現像剤がスムーズに排出されない不具合が生じてしまっていた。さらに、巻取り軸によるシート状部材の巻取り時間が長くなってしまっていた。
【０００６】
この発明は、上述のような課題を解決するためになされたもので、シート状部材が他の部材に巻き込まれることなく巻取り軸に短時間で巻き取られ、収容袋の排出口から現像剤がスムーズに排出されて内部に充分に供給される、現像剤収容容器、現像装置、プロセスカートリッジ、及び、画像形成装置を提供することにある。
【課題を解決するための手段】
【０００７】
この発明における現像剤収容容器は、内部に収容された現像剤を排出するための排出口が形成された収容袋と、その一端側が前記収容袋に保持されて、前記排出口を封止するシート状部材と、前記シート状部材の他端側が保持された巻取り軸と、を備え、前記巻取り軸が所定方向に回転されることにより、前記シート状部材が前記巻取り軸に巻き取られて前記排出口が開放されて、その後に前記シート状部材が巻取り方向中央部の切断部で切断されて前記収容袋の側と前記巻取り軸の側とに分割されるものである。
【発明の効果】
【０００８】
本発明によれば、シート状部材が他の部材に巻き込まれることなく巻取り軸に短時間で巻き取られ、収容袋の排出口から現像剤がスムーズに排出されて内部に充分に供給される、現像剤収容容器、現像装置、プロセスカートリッジ、及び、画像形成装置を提供することができる。
【図面の簡単な説明】
【０００９】
【図１】この発明の実施の形態における画像形成装置を示す全体構成図である。
【図２】プロセスカートリッジを示す構成図である。
【図３】切断前のシート状部材における切断部の近傍を示す上面図である。
【図４】巻取り軸を回転させてシート状部材を巻き取る動作を示す概略図である。
【図５】変形例としての、切断前のシート状部材における切断部の近傍を示す側面図である。
【図６】変形例において、巻取り軸を回転させてシート状部材を巻き取る動作を示す概略図である。
【発明を実施するための形態】
【００１０】
以下、この発明を実施するための形態について、図面を参照して詳細に説明する。なお、各図中、同一又は相当する部分には同一の符号を付しており、その重複説明は適宜に簡略化ないし省略する。
【００１１】
まず、図１にて、画像形成装置１００における全体の構成・動作について説明する。
図１において、１００は画像形成装置としてのプリンタ、１は表面にトナー像が形成される感光体ドラム、６は感光体ドラム１と帯電ローラ４と現像装置５とクリーニング装置２とが一体化されたプロセスカートリッジ、７はパソコンなどの入力装置から入力された画像情報に基づいた露光光Ｌを感光体ドラム１上に照射する露光部（書込み部）、を示す。
また、９は感光体ドラム１の表面に担持されたトナー像を転写ニップ部（転写位置）に搬送されるシートＰに転写する転写ローラ、１２は用紙等のシートＰが収納された給紙装置（給紙カセット）、を示す。
また、１６は感光体ドラム１と転写ローラ９とが当接する転写ニップ部に向けてシートＰを搬送するレジストローラ（タイミングローラ）、２０はシートＰ上の未定着画像を定着する定着装置、を示す。
【００１２】
ここで、感光体ドラム１の周囲には、帯電ローラ４、現像剤収容容器としての現像装置５、クリーニング装置２、などが配設されている。そして、これらの部材（感光体ドラム１、帯電ローラ４、現像装置５、クリーニング装置２、である。）は、プロセスカートリッジ６として一体化されていて、画像形成装置本体１００に対して着脱可能（交換可能）に設置されている。プロセスカートリッジ６は、所定の交換サイクルに達したときや、メンテナンスをおこなうときなどに、画像形成装置本体１００から取り出されて、新品のもの（又は、メンテナンスを施したもの）に入れ替えられる。
【００１３】
図１を参照して、画像形成装置１００における、通常の画像形成時の動作について説明する。
まず、パソコン等の入力装置から画像形成装置１００の露光部７に画像情報が送信されると、露光部７からその画像情報に基づいた露光光Ｌ（レーザ光）が、感光体ドラム１の表面に向けて発せられる。
一方、感光体ドラム１は、画像形成装置本体１００に設置された駆動モータから駆動を受けて、矢印方向（時計方向）に回転する。そして、まず、感光体ドラム１の表面は、帯電ローラ４との対向位置で、一様に帯電される（帯電工程である。）。こうして、感光体ドラム１上には、帯電電位（−９００Ｖ程度である。）が形成される。その後、帯電された感光体ドラム１の表面は、露光光Ｌの照射位置に達する。そして、露光光Ｌが照射された部分の電位が潜像電位（０〜−１００Ｖ程度である。）となって、感光体ドラム１の表面に静電潜像が形成される（露光工程である。）。
【００１４】
その後、静電潜像が形成された感光体ドラム１の表面は、現像装置５との対向位置に達する。そして、現像装置５から感光体ドラム１上にトナーが供給されて、感光体ドラム１上の潜像が現像されてトナー像が形成される（現像工程である。）。
その後、現像工程後の感光体ドラム１の表面は、転写ローラ９との転写ニップ部（転写位置）に達する。そして、転写ローラ９との転写ニップ部で、電源部から転写ローラ９に転写バイアス（トナーの極性とは異なる極性のバイアスである。）が印可されることによって、レジストローラ１６により搬送されたシートＰ上に、感光体ドラム１上に形成されたトナー像が転写される（転写工程である。）。
【００１５】
そして、転写工程後の感光体ドラム１の表面は、クリーニング装置２との対向位置に達する。そして、この位置で、クリーニングブレード２ａ（図２参照）によって感光体ドラム１上に残存する未転写トナーが機械的に除去されて、クリーニング装置２内に回収される（クリーニング工程である。）。
こうして、感光体ドラム１上における一連の作像プロセスが終了する。
【００１６】
一方、感光体ドラム１と転写ローラ９との転写ニップ部に搬送されるシートＰは、次のように動作する。
まず、給紙装置１２に収納されたシートＰの最上方の１枚が、給紙ローラ１５によって、搬送経路に向けて給送される。
その後、シートＰは、レジストローラ１６の位置に達する。そして、レジストローラ１６の位置に達したシートＰは、感光体ドラム１上に形成された画像と位置合わせをするためにタイミングを合わせて、転写ニップ部（転写ローラ９と感光体ドラム１との当接位置である。）に向けて搬送される。
【００１７】
そして、転写工程後のシートＰは、転写ニップ部（転写ローラ９）の位置を通過した後に、搬送経路を経て定着装置２０に達する。定着装置２０に達したシートＰは、定着ローラ２１と加圧ローラ２２との間に送入されて、定着ローラ２１から受ける熱と双方の部材２１、２２から受ける圧力とによって画像が定着される。画像が定着されたシートＰは、定着ローラ２１と加圧ローラ２２との間（定着ニップ部である。）から送出された後に、画像形成装置本体１００から排出されて、排紙トレイ上に載置される。
こうして、一連の画像形成プロセスが完了する。
【００１８】
次に、図２にて、画像形成装置におけるプロセスカートリッジ６について、さらに詳しく説明する。
図２に示すように、プロセスカートリッジ６は、像担持体としての感光体ドラム１、帯電ローラ４（帯電装置）、現像剤収容容器としての現像装置５、クリーニング装置２、等で構成される。
像担持体としての感光体ドラム１は、負帯電の有機感光体であって、装置本体１００側に設置された駆動モータから駆動力を受けて図２の時計方向に回転駆動される。
【００１９】
帯電ローラ４（帯電装置）は、芯金上に、ウレタン樹脂、導電性粒子としてのカーボンブラック、硫化剤、発泡剤等を処方した中抵抗の発泡ウレタン層を形成した弾性を有するローラである。帯電ローラ４の中抵抗層の材質としては、ウレタン、エチレン−プロピレン−ジエンポリエチレン（ＥＰＤＭ）、ブタジエンアクリロニトリルゴム（ＮＢＲ）、シリコーンゴムや、イソプレンゴム等に抵抗調整のためにカーボンブラックや金属酸化物等の導電性物質を分散したゴム材や、またこれらを発泡させたものを用いることもできる。なお、本実施の形態では、感光体ドラム１に対して帯電ローラ４が接触するように構成しているが、感光体ドラム１に対して帯電ローラ４が接触しないように構成することもできる。
クリーニング装置２は、感光体ドラム１に摺接するクリーニングブレード２ａが設置されていて、感光体ドラム１上の未転写トナーを機械的に除去・回収する。クリーニングブレード２ａは、ウレタンゴム等の弾性材料で形成された略板状部材であって、感光体ドラム１に対して所定の当接圧及び当接角で当接している。
【００２０】
現像装置５（現像剤収容容器）は、現像剤担持体としての現像ローラ５１が感光体ドラム１に対して所定の圧接力で接触するように配置されていて、双方の部材１、５１の間（現像ニップ）には現像領域が形成される。現像装置５内には、現像剤としてのトナーＴ（非磁性又は磁性の１成分現像剤である。）が収容されている。そして、現像装置５は、感光体ドラム１上に形成される静電潜像を現像する（トナー像を形成する。）。
【００２１】
以下、図２を用いて、現像剤収容容器としての現像装置５について詳述する。
図２を参照して、本実施の形態における現像装置５は、接触１成分現像方式の現像装置であって、プロセスカートリッジ６として他の作像部材１、２、４とともに装置本体１００に対して着脱可能（交換可能）に設置される。
現像装置５は、現像剤担持体としての現像ローラ５１、現像剤供給部材としての供給ローラ５２、現像剤規制部材としてのドクターブレード５３、トナーＴ（現像剤）が収容された収容袋５４、収容袋５４の排出口５４ａを封止するシート状部材５５、装置の使用開始時にシート状部材５５を巻き取るための巻取り軸５６、等で構成されている。
【００２２】
現像ローラ５１（現像剤担持体）は、感光体ドラム１に対して接触するように配設されていて、トナーを担持しながら所定方向（図２の反時計方向である。）に回転して感光体ドラム１上に形成された静電潜像にトナーを供給する。現像ローラ５１としては、ステンレス鋼等の導電性金属材料で形成された回転軸部（芯金）上に、弾性材料からなるローラ部を具備したものを用いることができる。
供給ローラ５２（現像剤供給部材）は、現像ローラ５１に摺接するように配設されていて、現像ローラ５１にトナーを供給する。供給ローラ５２は、芯金上に、導電性を有する発泡ポリウレタン層（電気抵抗値が１０3〜１０14Ω程度のものである。）が積層されている。また、供給ローラ５２は、感光体ドラム１との現像領域において現像工程に供されなかった現像ローラ５１上のトナーを、現像ローラ５１から除去する機能も有している。
ドクターブレード５３（現像剤規制部材）は、その先端部が現像ローラ５１の外周面に１０〜１００Ｎ／ｍ程度の圧力にて所定角度で当接するように配設されていて、現像ローラ５１に担持されたトナーの量を規制する。換言すると、ドクターブレード５３は、現像ローラ５１に当接して現像ローラ５１に担持されるトナーを薄層化するものである。ドクターブレード５３としては、ステンレス鋼等の金属材料からなる薄い板状部材を用いることができる。
【００２３】
ここで、現像ローラ５１や供給ローラ５２やドクターブレード５３には、電源部から所定の電圧が印加されていて、現像ローラ５１上におけるトナーの静電的な移動が促進されている。なお、本実施の形態では、現像ローラ５１に対して、現像領域において現像ローラ５１と感光体ドラム１との間でトナーが往復運動するように、交番電圧（ＡＣ周波数が５００〜１０００Ｈｚ程度、ピーク・ツー・ピーク電圧が５００〜３０００Ｖ程度、印加時間デューティが３０〜７０％程度の矩形波である。）を印加している。
なお、本実施の形態では、現像ローラ５１に交番電圧を印加するように構成したが、現像ローラ５１に−１００〜−５００Ｖ程度の直流電圧を印加するように構成することもできる。
【００２４】
また、現像ローラ５１、供給ローラ５２、巻取り軸５６の各軸部にはギアが設置されていて、アイドラギアをも含めたギア列が形成されている。そして、これらのギア列に駆動モータ（駆動手段）から駆動力が入力されて、現像ローラ５１、供給ローラ５２、巻取り軸５６がそれぞれ図２の矢印方向に回転駆動される。
なお、本実施の形態における現像装置５には、収容袋５４、シート状部材５５、巻取り軸５６、等が設置されているが、これらについては後で詳しく説明する。
【００２５】
このように構成された現像装置５は、通常の現像工程時において、次のように動作する。
まず、現像装置５内に収容されたトナーは、その一部が供給ローラ５２に供給され担持される。供給ローラ５２に担持されたトナーは、現像ローラ５１との圧接部（当接位置）で摩擦帯電された後に、現像ローラ５１上に移動して担持される。その後、現像ローラ５１上に担持されたトナーは、ドクターブレード５３との当接位置で、薄層化・均一化・摩擦帯電された後に、感光体ドラム１との対向位置（現像領域）に達する。そして、この位置で、現像領域に形成された電界（現像電界）によって、感光体ドラム１上に形成された潜像にトナーが吸着される。
【００２６】
以下、本実施の形態における現像装置５（プロセスカートリッジ６）において、特徴的な構成・動作について詳述する。
図２を参照して、本実施の形態における現像装置５は、現像ローラ５１や供給ローラ５２やドクターブレード５３などが設置されるとともに、収容袋５４、シート状部材５５、巻取り軸５６などからなる現像剤収容容器が一体化されたものである。すなわち、本実施の形態における現像装置５は、内部に現像剤としてのトナーが収容された現像剤収容容器でもある。
【００２７】
収容袋５４は、ビニールやポリエチレンなどの可撓性を有する樹脂材料からなる袋状部材であって、内部に収容されたトナーＴ（現像剤）を排出するための排出口５４ａが形成されている。現像装置５（現像剤収容容器）において、収容袋の排出口の下方には、遮蔽部材などを介することなく、現像ローラ５１にトナーＴ（現像剤）を供給する供給ローラ５２が直接対向するように配置されている。
【００２８】
シート状部材５５は、収容袋５４の排出口を封止する封止部材として機能するものである。シート状部材５５は、薄いＰＥＴ（ポリエチレンテレフタレート）などの可撓性樹脂材料で形成された帯状のシートである。
図４（Ａ）等を参照して、シート状部材５５は、その一端側（第１保持部５５ａである。）が収容袋５４に保持されて、その一端側（第２保持部５５ｂである。）が巻取り軸５６に保持されている。具体的に、シート状部材５５は、第１保持部５５ａが接着剤などにより収容袋５４（排出口５４ａに対して巻取り方向下流側の位置である。）に貼着されていて、第２保持部５５ｂがビスなどにより巻取り軸５６に固定保持されている。
また、シート状部材５５は、その第３保持部５５ｄが、収容袋５４の排出口５４ａを覆うように排出口５４ａの縁部に貼着されている。なお、シート状部材５５には、その巻取り方向（巻取り軸５６によって巻き取られる方向である。）の中央部に、所定値以上のテンションがかかったときに切断される切断部５５ｃ（図３参照）が形成されているが、これについては後で詳しく説明する。
そして、現像装置５（プロセスカートリッジ６）の工場出荷時に、内部にトナーＴが収容されて、シート状部材５５によって排出口５４ａが塞がれた状態の収容袋５４が、現像装置５の内部（図２の位置である。）にセットされることになる。
【００２９】
巻取り軸５６は、収容袋５４の排出口５４ａを開放するために所定方向（図２の反時計方向である。）に回転してシート状部材５５を巻き取るための部材である。巻取り軸５６には、シート状部材５５の他端側（第２保持部５５ｂ）が保持されている。
巻取り軸５６は、樹脂材料又は金属材料からなる軸状部材であって、略角柱状の巻取り部５６ｂの両端にそれぞれ軸部（現像装置５の筐体に軸受を介して回転可能に保持されている。）が設けられている。そして、巻取り軸５６は、画像形成装置１００において現像装置５（プロセスカートリッジ６）が駆動されると、現像ローラ５１や供給ローラ５２とともに図２の矢印方向に回転駆動されることになる。
【００３０】
そして、ユーザー先で、画像形成装置１００において新品状態の現像装置５（プロセスカートリッジ６）が使用開始されるときに、図４（Ａ）〜（Ｄ）に示すように、現像装置５（プロセスカートリッジ６）の駆動開始にともない、巻取り軸５６が回転してシート状部材５５が巻き取られることになる。そして、シート状部材５５が巻取り軸５６に巻き取られて、収容袋５４の排出口５４ａが開放されると、排出口５４ａから図４の白矢印方向にトナーＴが供給されて、現像装置５の内部（現像ローラ５１や供給ローラ５２が設置された部分である。）にトナーＴがいきわたることになる。これにより、現像装置５による現像工程が実施可能な状態になる。
【００３１】
本実施の形態では、このようにユーザー先で使用が開始されるまで、現像装置５の内部で、トナーＴが収容袋５４に収容された状態であるため、工場出荷されてからユーザー先に輸送されるまでの間に、現像装置５からトナーＴが漏出してしまう不具合や、現像ローラ５１や供給ローラ５２がトナーＴで汚れてしまう不具合を防止することができる。
【００３２】
ここで、本実施の形態における現像剤収容容器としての現像装置５は、巻取り軸５６が所定方向（図４の反時計方向である。）に回転されることにより、シート状部材５５が巻取り軸５６に巻き取られて排出口５４ａが開放されて、その後にシート状部材５５が巻取り方向中央部の切断部５５ｃで切断されて収容袋５４の側と巻取り軸５６の側とに分割される。
詳しくは、シート状部材５５は、ＰＥＴなどの１つの材料で形成されていて、その長手方向中央部に切断部５５ｃが設けられている。この切断部５５ｃは、図３に示すように、ミシン目が形成された部分であって、巻取り軸５６の白矢印方向の巻取り動作によってシート状部材５５に所定値以上のテンションがかかると切断される。これにより、シート状部材５５は、切断部５５ｃ（ミシン目）を境にして、収容袋側シート部５５ｅと巻取り軸側シート部５５ｆとに切り離されることになる。
【００３３】
以下、図４（Ａ）〜（Ｄ）を用いて、現像装置５が使用開始されるときのシート状部材５５の巻取り動作について詳述する。
まず、図４（Ａ）に示すように、シート状部材５５の巻取り動作が開始される前は、シート状部材５５（第３保持部５５ｄ）によって、収容袋５４の排出口５４ａが封止された状態である。
そして、現像装置５のウォーミングアップ動作（空駆動）にともない巻取り軸５６の反時計方向の回転駆動が開始されると、シート状部材５５にかかるテンションによって、図４（Ｂ）に示すように、まず、第３保持部５５ｄが収容袋５４から剥がれて排出口５４ａが開放される。これにより、収容袋５４から現像装置５の内部（主部）への白矢印方向のトナー供給が開始される。
そして、巻取り軸５６の回転がさらに進められると、シート状部材５５にかかるテンションによって、図４（Ｃ）に示すように、次に切断部５５ｃが切断されて、シート状部材５５は収容袋側シート部５５ｅと巻取り軸側シート部５５ｆとに分割される。
そして、巻取り軸５６がさらに回転されることにより、図４（Ｄ）に示すように、切断部５５ｃで切断され分割された巻取り軸５６の側のシート状部材（巻取り軸側シート部５５ｆ）が巻取り軸５６にすべて巻き取られることになる。
【００３４】
ここで、図４（Ｃ）を参照して、シート状部材５５の切断時には、巻取り軸５６と第１保持部５５ａとを略直線状に結んだ位置に切断部５５ｃが達したときに、切断部５５ｃにテンションがかかって切断されることになる。そのため、切断後の収容袋側シート部５５ｅの自由端側（第１保持部５５ａとは反対側の端部である。）は、供給ローラ５２の上方で垂れ下がるのではなくて、供給ローラ５２側からみて巻取り軸５６の裏側で垂れ下がった状態になる。したがって、切断後に収容袋５４に第１保持部５５ａで保持された収容袋側シート部５５ｅが供給ローラ５２に巻き込まれる不具合は生じない。また、先に説明したように、巻取り軸側シート部５５ｆは、巻取り軸５６にすべて巻き取られているため、巻取り軸側シート部５５ｆが供給ローラ５２に巻き込まれる不具合も生じない。
【００３５】
また、上述したように、シート状部材５５の巻取り動作において、シート状部材５５にテンションがかかったときに、まず、第３保持部５５ｄが収容袋５４から剥がれて、次に切断部５５ｃが切断されることになる。このような動作の順番が逆転しないように、第３保持部５５ｄの保持力（収容袋５４に対する貼着力）は、切断部５５ｃの切断力（切断部５５ｃを切断するのに要する力）よりも小さくなるように設定している。また、第１保持部５５ａの保持力（収容袋５４に対する貼着力）や、第２保持部５５ｂの保持力（巻取り軸５６に保持される力）は、切断部５５ｃの切断力よりも充分に大きくなるように設定している。また、シート状部材５５は、切断部５５ｃ以外の部分は、上述した巻取り動作時にかかるテンションによって切断されない充分な強度を有している。
【００３６】
このように、本実施の形態における現像装置５（現像剤収容容器）は、シート状部材５５の巻取り動作において、排出口５４ａを開放した後のシート状部材５５のすべて（長いシート状部材５５）が巻取り軸５６によって巻き取られるのではなく、排出口５４ａを開放した後にシート状部材５５を切断して短い巻取り軸側シート部５５ｆのみが巻取り軸５６によって巻き取られることになる。そのため、収容袋５４の排出口５４ａと供給ローラ５２との間にシート状部材５５の巻き込みを防止するための遮蔽部材を設置しなくても、シート状部材５５が供給ローラ５２に巻き込まれることはない。そして、そのような遮蔽部材が設置されていないため、排出口５４ａから排出されたトナーＴが供給ローラ５２（現像装置５の内部）に効率的かつ充分に供給されて、画像濃度低下などの異常画像が生じにくくなる。さらに、そのような遮蔽部材上にトナーが堆積して、残トナー量が多くなってしまったり、堆積したトナーが凝集してしまったりする不具合も生じないことになる。
また、排出口５４ａを開放した後にシート状部材５５を切断して短い巻取り軸側シート部５５ｆと収容袋側シート部５５ｅとに分割するため、シート状部材（巻取り軸側シート部５５ｆ、収容袋側シート部５５ｅ）によって排出口５４ａからのトナーＴのスムーズな排出が妨げられる不具合も生じにくくなる。さらに、巻取り軸５６によるシート状部材（巻取り軸側シート部５５ｆ）の巻取り時間も短くなるため、現像装置５のウォーミングアップにかかる時間も短縮される。
【００３７】
＜変形例＞
図５は、変形例としてのシート状部材５５における切断部５５ｃの近傍を示す側面図である。また、図６は、変形例において巻取り軸５６を回転させてシート状部材５５を巻き取る動作を示す概略図であって、本実施の形態における図４に対応する図である。
図５に示すように、変形例におけるシート状部材５５は、切断部５５ｃを境にして収容袋５４の側（収容袋側シート部５５ｅ）の材料と巻取り軸５６の側（巻取り軸側シート部５５ｆ）との材料とが異なり、それぞれが切断部５５ｃで接着されたものである。具体的に、変形例では、収容袋側シート部５５ｅを比較的コシの弱いポリウレタンなどの材料で形成して、巻取り軸側シート部５５ｆを比較的コシの強いマイラーなどの材料で形成して、双方５５ｅ、５５ｆを切断部５５ｃで重ねた状態で接着剤を介して接着している。
このように構成した場合にも、図６（Ａ）〜（Ｄ）に示すように、現像装置５が使用開始されるときに、本実施の形態のものと同様にシート状部材５５が巻取られることになる。すなわち、シート状部材５５の巻取り動作において、シート状部材５５にテンションがかかったときに、まず、第３保持部５５ｄが収容袋５４から剥がれて、次に切断部５５ｃ（接着部）が切り離されることになる。また、このような動作の順番が逆転しないように、第３保持部５５ｄの保持力（収容袋５４に対する貼着力）は、切断部５５ｃの接着力（切断部５５ｃを切り離すのに要する力）よりも小さくなるように設定している。また、第１保持部５５ａの保持力（収容袋５４に対する貼着力）や、第２保持部５５ｂの保持力（巻取り軸５６に保持される力）は、切断部５５ｃの接着力よりも充分に大きくなるように設定している。また、シート状部材５５は、切断部５５ｃ以外の部分は、上述した巻取り動作時にかかるテンションによって切断されない充分な強度を有している。
【００３８】
ここで、図６（Ｄ）を参照して、変形例では、巻取り軸５６が所定方向（図６の反時計方向である。）に回転されることにより、切断部５５ｃで切断され分割された巻取り軸５６の側のシート状部材（巻取り軸側シート部５５ｆ）の一部のみが巻取り軸５６に巻き取られて、巻取り軸５６に巻き取られなかった部分が巻取り軸５６とともに回転して現像装置５内（容器内）のトナーＴを撹拌するように構成されている。
すなわち、シート状部材５５の巻取り動作（収容袋５４からのトナーＴの排出）が終了したときに、図６（Ｄ）に示すように、巻取り軸５６から巻取り軸側シート部５５ｆの一部が略径方向に突き出した状態になる。そして、その状態で現像装置５の駆動とともに、巻取り軸５６が回転駆動されながら、通常の現像工程がおこなわれることになる。そのとき、巻取り軸５６は、突出した巻取り軸側シート部５５ｆ（比較的コシの強い材料で形成されている。）の部分が撹拌部材として機能して、現像装置５内のトナーＴを撹拌してトナーＴの凝集を軽減することになる。
なお、変形例における巻取り軸側シート部５５ｆは、切断部５５ｃ側の幅を、その他の部分の幅より大きく形成している。そして、その幅を大きく形成した部分が、巻取り軸５６に形成した突起に引っ掛かって、それ以上巻き取れないようになっている。そして、その巻き取れない部分が、巻取り軸５６から突出して撹拌部材として機能することになる。
【００３９】
以上説明したように、本実施の形態における現像装置５（現像剤収容容器）は、内部に収容されたトナーＴ（現像剤）を排出するための排出口５４ａが形成された収容袋５４と、その一端側が収容袋５４に保持されて排出口５４ａを封止するシート状部材５５と、シート状部材５５の他端側が保持された巻取り軸５６と、が設けられている。そして、巻取り軸５６が所定方向に回転されることにより、シート状部材５５が巻取り軸５６に巻き取られて排出口５４ａが開放されて、その後にシート状部材５５が巻取り方向中央部の切断部５５ｃで切断されて収容袋５４の側と巻取り軸５６の側とに分割される。
これにより、シート状部材が他の部材に巻き込まれることなく巻取り軸に短時間で巻き取られ、収容袋の排出口から現像剤がスムーズに排出されて内部に充分に供給される。
【００４０】
なお、本実施の形態においては、現像剤収容容器としての現像装置５が、感光体ドラム１（像担持体）と帯電ローラ４とクリーニング装置２とともに一体化されたプロセスカートリッジ６として構成されている場合に対して、本発明を適用した。しかし、本発明の適用はこれに限定されることなく、現像装置５が単体で画像形成装置本体１００に対して着脱されるユニットして構成されている場合であっても、当然に本発明を適用することができる。そして、そのような場合にも、本実施の形態のものと同様の効果を得ることができる。
なお、本願において、「プロセスカートリッジ」とは、像担持体を帯電する帯電装置と、像担持体上に形成された潜像を現像する現像装置と、像担持体上をクリーニングするクリーニング装置と、のうち少なくとも１つと、像担持体と、が一体化されて、画像形成装置本体に対して着脱可能に設置されるユニットと定義する。
【００４１】
また、本実施の形態では、現像ローラ５１が感光体ドラム１に対してギャップをあけずに当接するように構成された接触式の１成分現像方式の現像装置５（現像剤収容容器）に対して、本発明を適用した。これに対して、現像ローラが感光体ドラムに対してギャップをあけて対向するように構成された非接触式の１成分現像方式の現像装置に対しても、本発明を適用することができる。
また、本実施の形態では、トナーＴのみからなる１成分現像剤が収容された現像装置５に対して、本発明を適用した。これに対して、トナーＴとキャリアとからなる２成分現像剤が収容された現像装置に対しても、本発明を適用することができる。その場合、収容袋５４には、トナーに加えてキャリア、すなわち２成分現像剤を収容することができる。
そして、それらのような場合にも、本実施の形態のものと同様の効果を得ることができる。
【００４２】
さらに、本実施の形態では、１つの作像部（プロセスカートリッジ６）によってシートＰにトナー像が転写されるモノクロ画像形成装置１００に対して、本発明を適用した。これに対して、複数の作像部によって中間転写ベルトなどの中間転写体にトナー像が１次転写されて、中間転写体からシートにトナー像が２次転写されるカラー画像形成装置に対しても、当然に本発明を適用することができる。
また、本実施の形態では、収容袋５４や巻取り軸５６やシート状部材５５などで構成された現像剤収容容器を、現像ローラ５１や供給ローラ５２やドクターブレード５３などで構成された現像装置５と一体化したが、現像剤収容容器と現像装置とを別々に設けて、現像剤収容容器と現像装置とを着脱可能に設置することもできる。
そして、それらのような場合にも、本実施の形態のものと同様の効果を得ることができる。
【００４３】
なお、本発明が本実施の形態に限定されず、本発明の技術思想の範囲内において、本実施の形態の中で示唆した以外にも、本実施の形態は適宜変更され得ることは明らかである。また、前記構成部材の数、位置、形状等は本実施の形態に限定されず、本発明を実施する上で好適な数、位置、形状等にすることができる。
【符号の説明】
【００４４】
１  感光体ドラム（像担持体）、
５  現像装置（現像剤収容容器）、
６  プロセスカートリッジ、
５１  現像ローラ（現像剤担持体）、
５２  ドクターブレード（現像剤規制部材）、
５３  供給ローラ（現像剤供給部材）、
５４  収容袋、
５４ａ  排出口、
５５  シート状部材（封止部材）、
５５ａ  第１保持部（シート状部材の一端側）、
５５ｂ  第２保持部（シート状部材の他端側）、
５５ｃ  切断部、
５５ｄ  第３保持部、
５５ｅ  収容袋側シート部、
５５ｆ  巻取り軸側シート部、
５６  巻取り軸、
１００  画像形成装置（画像形成装置本体）、
Ｔ  トナー（現像剤）。
【先行技術文献】
【特許文献】
【００４５】
【特許文献１】特開２０１３−１３７５２２号公報
【図１】
2020177159.tif 000003
【図２】
2020177159.tif 000004
【図３】
2020177159.tif 000005
【図４】
2020177159.tif 000006
【図５】
2020177159.tif 000007
【図６】
2020177159.tif 000008